(57)【特許請求の範囲】
【請求項１】
光伝送システムで伝送される光信号を光伝送システムの光端末装置（３）の光／電気変換素子（ＰＤ）で光／電気変換してＲＦ信号（テレビ信号、告知放送信号を含む）を取り出し、そのＲＦ信号を前記光端末装置（３）の出力端から出力する告知放送出力方法において、
ＲＦ経路（Ｃ２）のＲＦ信号出力端と告知経路（Ｃ１）の告知放送信号出力端を共用にして共用出力端子（１０）とし、
光端末装置（３）が商用電源通電・ＲＦ信号出力状態では、光信号を電気信号に変換する光／電気変換素子（ＰＤ）により光信号がＲＦ信号に変換され、前記告知経路（Ｃ１）は前記光／電気変換素子（ＰＤ）のＲＦ信号取出し端（Ｋ）及び前記共用出力端（１０）との接続が開放され、前記ＲＦ経路（Ｃ２）が前記光／電気変換素子（ＰＤ）のＲＦ信号取出し端（Ａ）及び前記共用出力端（１０）と接続され、このＲＦ経路（Ｃ２）により前記光／電気変換されたＲＦ信号が伝送されて、ＲＦ信号に含まれる告知放送信号及びテレビ信号が前記共用出力端（１０）から出力され、
光端末装置（３）が商用電源通電・ＲＦ信号中のテレビ信号出力停止・告知放送出力状態では、光信号が前記光／電気変換素子（ＰＤ）によりＲＦ信号に変換され、前記ＲＦ経路（Ｃ２）が前記光／電気変換素子（ＰＤ）のＲＦ信号取出し端（Ａ）と前記共用出力端（１０）との接続が開放され、前記告知経路（Ｃ１）が前記光／電気変換素子（ＰＤ）のＲＦ信号取出し端（Ｋ）及び前記共用出力端（１０）と接続されて前記ＲＦ信号を伝送し、そのＲＦ信号に含まれる前記告知放送信号が取り出されて前記共用出力端（１０）から出力され、
光端末装置（３）が商用電源停止・ＲＦ信号出力状態では、前記光／電気変換素子（ＰＤ）に商用電源が供給されないが、前記光／電気変換素子（ＰＤ）の一方のＲＦ信号取出し端（Ｋ）を接地させることにより、前記光信号を前記光／電気変換素子（ＰＤ）によりＲＦ信号に変換し、前記ＲＦ経路（Ｃ２）が前記共用出力端（１０）との接続が開放され、前記告知経路（Ｃ１）が前記光／電気変換素子（ＰＤ）のＲＦ信号取出し端（Ｋ）及び前記共用出力端（１０）と接続され、この告知経路（Ｃ１）により前記ＲＦ信号が伝送され、そのＲＦ信号に含まれる前記告知放送信号が取り出されて前記共用出力端（１０）から出力される、
ことを特徴とする光端末装置の告知放送出力方法。
【請求項２】
請求項１記載の光端末装置の告知放送出力方法において、
光／電気変換素子（ＰＤ）で変換されたＲＦ信号を二分配し、二分配された一方の経路をＲＦ経路（Ｃ２）、他方の経路を告知経路（Ｃ１）とし、
前記ＲＦ経路（Ｃ２）、告知経路（Ｃ１）は、光端末装置（３）が商用電源通電・ＲＦ信号出力状態、商用電源通電・ＲＦ信号中のテレビ信号出力停止・告知放送信号出力状態、商用電源停止・ＲＦ信号出力状態の夫々において、請求項１記載のＲＦ経路（Ｃ２）、告知経路（Ｃ１）と同様に接続或いは接続が開放されて、前記いずれの状態でも告知放送を共用出力端（１０）から出力するようにした、
ことを特徴とする光端末装置の告知放送出力方法。
【請求項３】
光伝送システムで伝送される光信号を光／電気変換素子（ＰＤ）で光／電気変換してＲＦ信号（テレビ信号や告知放送信号を含む）を取り出し、そのＲＦ信号を出力端から出力する光端末装置において、
光信号を電気信号に変換する光／電気変換素子（ＰＤ）と、
ＲＦ信号を伝送するＲＦ経路（Ｃ２）と告知経路（Ｃ１）と、
ＲＦ信号出力端と告知放送信号出力端を共有にした共用出力端（１０）と、
告知経路（Ｃ１）を伝送されるＲＦ信号から告知放送信号を取り出す告知放送信号取出し回路（ＬＰＦ）と、
前記光／電気変換素子（ＰＤ）を商用電源と接地に切替え接続する電源／アース切替えスイッチ（ＳＷ１）と、
前記光／電気変換素子（ＰＤ）のＲＦ信号取出し端（Ｋ）を前記告知経路とアースに切替え接続する告知経路／アース切替えスイッチ（ＳＷ２）と、
前記共用出力端（１０）をＲＦ経路（Ｃ２）と告知経路（Ｃ１）に選択切替え接続する経路切替えスイッチ（ＳＷ３）と、
商用電源からの電源供給を接続・接続開放に切替える電源切替えスイッチ（ＳＷ４）と、
前記経路切替えスイッチ（ＳＷ３）を告知経路（Ｃ１）とＲＦ経路（Ｃ２）とに切替える経路制御回路（８）と、
前記電源切替えスイッチ（ＳＷ４）の前記接続・接続開放を切替え制御するＲＦ制御回路（７）と、を備え、
光端末装置（３）が商用電源通電・ＲＦ信号出力の状態では、前記ＲＦ制御回路（７）が前記電源切替えスイッチ（ＳＷ４）を商用電源と接続させて前記光／電気変換素子（ＰＤ）に前記商用電源を供給してその光／電気変換素子（ＰＤ）により光信号をＲＦ信号に変換できるようにし、前記告知経路／アース切替えスイッチ（ＳＷ２）がアースに切替えられ、前記光／電気変換素子（ＰＤ）のＲＦ信号取出し端（Ｋ）と前記告知経路（Ｃ１）とが切断されて、前記ＲＦ信号が光／電気変換素子（ＰＤ）の取出し端（Ａ）と接続されているＲＦ経路（Ｃ２）を伝送され、前記経路切替えスイッチ（ＳＷ３）がＲＦ経路（Ｃ２）と接続されて前記ＲＦ信号がＲＦ経路（Ｃ２）を経て前記共用出力端（１０）に出力され、そのＲＦ信号に含まれる告知信号も共用出力端（１０）に出力され、
光端末装置（３）が商用電源通電・ＲＦ信号中のテレビ信号出力停止・告知放送出力状態では、前記ＲＦ制御回路（７）が前記電源切替えスイッチ（ＳＷ１）を商用電源との接続を開放させて前記光／電気変換素子（ＰＤ）に前記商用電源が供給されないようにし、前記電源／アース切替えスイッチ（ＳＷ１）が接地されて光信号が前記光／電気変換素子（ＰＤ）によりＲＦ信号に変換され、告知経路／アース切替えスイッチ（ＳＷ２）が前記光／電気変換素子（ＰＤ）のＲＦ信号取出し端（Ｋ）と告知経路（Ｃ１）、に接続され、前記経路切替えスイッチ（ＳＷ３）が告知経路（Ｃ１）に接続されて、前記ＲＦ信号が告知経路（Ｃ１）を伝送され、その伝送中に告知放送信号取出し回路（ＬＰＦ）により前記ＲＦ信号から告知放送信号が取り出され、その告知放送信号が前記経路切替えスイッチ（ＳＷ３）を経て共用出力端（１０）に出力され、
光端末装置（３）が商用電源停止・ＲＦ信号出力状態では、前記光／電気変換素子（ＰＤ）に商用電源は供給されないが、前記電源切替えスイッチ（ＳＷ４）が商用電源と接続し、前記電源／アース切替えスイッチ（ＳＷ１）が接地されて光信号が前記光／電気変換素子（ＰＤ）によりＲＦ信号に変換され、告知経路／アース切替えスイッチ（ＳＷ３）が前記光／電気変換素子（ＰＤ）のＲＦ信号取出し端（Ｋ）と告知経路（Ｃ１）に接続されて、前記ＲＦ信号が告知経路（Ｃ１）を伝送され、その伝送中に告知放送信号取出し回路（ＬＰＦ）により前記ＲＦ信号から告知放送信号が取り出され、その告知放送信号が前記経路切替えスイッチ（ＳＷ３）を経て共用出力端（１０）に出力される、
ことを特徴とする光伝送システムの光端末装置。
【請求項４】
請求項３記載の光伝送システムの光端末装置において、
光／電気変換素子で変換されたＲＦ信号を二分配する分配器（９）を備え、分配された一方の経路をＲＦ経路（Ｃ２）、他方の経路を告知経路（Ｃ１）とし、前記ＲＦ経路（Ｃ２）、告知経路（Ｃ１）は、光端末装置（３）が商用電源通電・ＲＦ信号出力状態、商用電源通電・ＲＦ信号中のテレビ信号出力停止・告知放送出力状態、商用電源停止・ＲＦ信号出力状態のそれぞれにおいて、電源／アース切替えスイッチ（ＳＷ１）、告知経路／アース切替えスイッチ（ＳＷ２）、経路切替えスイッチ（ＳＷ３）、電源切替えスイッチ（ＳＷ４）が請求項３記載のそれらスイッチと同様に切替え接続されて、前記いずれの状態でも告知放送を共用出力端（１０）から出力できるようにした、
ことを特徴とする光伝送システムの光端末装置。
【請求項５】
請求項３又は請求項４記載の光伝送システムの光端末装置において、
光／電気変換素子（ＰＤ）のＲＦ信号取出し端（Ｋ）側と、電源切替えスイッチ（ＳＷ１）との間にコイル（Ｌ）を備えたことを特徴とする光伝送システムの光端末装置。
【発明の詳細な説明】
【技術分野】
【０００１】
本発明はＣＡＴＶ、ＣＣＴＶといった光伝送システムの光端末装置の告知放送出力方法とそれに使用される光端末装置に関するものである。
【背景技術】
【０００２】
近年は光伝送設備を用いた情報伝送システムが普及しており、その一例としてＦＴＴＨ（ファイバー・ツー・ザ・ホーム）方式のＣＡＴＶシステムがある。光伝送設備を用いた情報伝送システムではテレビ信号の多チャンネルサービスが行われており、そのサービスの一環として地震・災害等の緊急情報をいち早く伝える告知放送システムがある。告知放送システムは専用の告知放送受信用の端末装置（告知放送端末装置）により告知放送信号を受信できるようにしたものである。告知放送は通常は７０〜９０ＭＨｚのＦＭ信号によって運用されている。告知放送は緊急情報を伝送するという性格から非常時に運用されることが想定されているため、告知放送端末装置は商用電源の停電時にも対応できる仕様となっている。
【０００３】
前記告知放送端末装置は通常は図６（ａ）（ｂ）のように、光伝送システムの光端末装置Ａの下流位置（システム加入者宅Ｂ内）に設置されている。光端末装置Ａは入力された光信号を高周波の電気信号（ＲＦ信号）に変換出力するものであり、このＲＦ信号にテレビ信号や告知放送信号が含まれている。光端末装置Ａは一般的に商用電源で動作するため、商用電源停電時でも動作しなければ告知放送端末装置Ｃに告知放送信号を送ることができない。このため光端末装置Ａには商用電源の停電時でも対応できることが求められている。
【０００４】
商用電源停電時に告知放送信号を出力するためには、従来は、バックアップ電源を用意したり（例えば、特許文献１参照）、テレビ信号とは別にＦＭ告知放送用の受信端子を用意したりしており、受信端末を備えた製品が販売されてもいる。
【０００５】
【特許文献１】特開２００６−１７４２１１
【発明の開示】
【発明が解決しようとする課題】
【０００６】
商用電源停電対策の一つとしてバックアップ電源として電池を用いる方法は、電池の寿命が短いことから頻繁に電池交換しなければならずメンテナンス費用が嵩む。これを解決するためには二次電池を用いて充電しながら停電に備えることも考えられるが、二次電池といえども寿命は長くて２〜３年程度であり、また充電制御にコストがかかるため価格競争が激しい光端末装置としては現実的ではない。そこで前記特許文献１ではバックアップ電源をキャパシタとしている。キャパシタは二次電池ほどではないがコストと寿命の課題は解決できない。いずれにしてもバックアップ電源での動作となった場合、バックアップ電源によって動作できる時間が問題となる。結局、数時間程度でバックアップ電源が放電してしまい、停電が長時間にわたった場合の懸念が残る。
【０００７】
光伝送設備を用いたテレビ信号の多チャンネルサービスを行う事業者にとっては、サービスへの加入者からスムーズに使用料金を徴収できることが望まれるが、中には使用料金の支払いが滞る加入者もあり問題となっている。そこで使用料金未払いの加入者にはサービスが提供されないようにした伝送システムが運用されている。このシステムは光端末装置のＲＦ信号の出力を停止するよう制御するものであり、この制御をされた加入者宅ではテレビの視聴ができなくなる。然し、人道的配慮から、告知放送信号はＲＦ信号出力停止制御となっている加入者にも配信される必要がある。
【０００８】
光端末装置は一般に加入者宅の軒先などの屋外に設置され、ＲＦ信号が同軸ケーブルによって加入者宅内に引き込まれる。図６（ｂ）のように告知放送信号の出力端子とテレビ信号の出力端子を別にした光端末装置が製品化された例がある。この製品では夫々の端子に別々の同軸ケーブルを接続するため、２本の同軸ケーブルの施工が必要となり、配線が頻雑になることから工事の面から敬遠され、美観を損ねることから光端末装置が設置される加入者宅から敬遠されがちである。また、告知放送信号は告知放送信号用の出力端子に接続された同軸ケーブルからしか出力されないため、一度施工された告知放送端末器を別の場所に移動するためには、新たに同軸ケーブルを配線し直す工事が必要になり、簡易に移動できないという問題がある。これは加入者に不便を強いることとなる。
【課題を解決するための手段】
【０００９】
本発明は入力した光信号を高周波の電気信号（ＲＦ信号）に変換する光／電気変換素子の周辺回路を、商用電源停電時（状態）またはＲＦ信号出力停止時（状態）であっても告知放送信号を出力可能とする光端末装置の告知放送出力方法とそれに使用される光端末装置に関するものである。
【００１０】
本発明の光端末装置の告知放送出力方法は、請求項１記載のように、光伝送システムで伝送される光信号を光伝送システムの光端末装置３の光／電気変換素子ＰＤで光／電気変換してＲＦ信号（テレビ信号、告知放送信号を含む）を取り出し、そのＲＦ信号を前記光端末装置３の出力端から出力する告知放送出力方法において、ＲＦ経路Ｃ２のＲＦ信号出力端と告知経路Ｃ１の告知放送信号出力端を共用にして共用出力端子１０とし、光端末装置３が商用電源通電・ＲＦ信号出力状態では、光信号を電気信号に変換する光／電気変換素子ＰＤにより光信号がＲＦ信号に変換され、前記告知経路Ｃ１は前記光／電気変換素子ＰＤのＲＦ信号取出し端Ｋ及び前記共用出力端１０との接続が開放され、前記ＲＦ経路Ｃ２が前記光／電気変換素子ＰＤのＲＦ信号取出し端Ａ及び前記共用出力端１０と接続され、このＲＦ経路Ｃ２により前記光／電気変換されたＲＦ信号が伝送されて、ＲＦ信号に含まれる告知放送信号及びテレビ信号が前記共用出力端１０から出力され、光端末装置３が商用電源通電・ＲＦ信号中のテレビ信号出力停止・告知放送出力状態では、光信号が前記光／電気変換素子ＰＤによりＲＦ信号に変換され、前記ＲＦ経路Ｃ２が前記光／電気変換素子ＰＤのＲＦ信号取出し端Ａと前記共用出力端１０との接続が開放され、前記告知経路Ｃ１が前記光／電気変換素子ＰＤのＲＦ信号取出し端Ｋ及び前記共用出力端１０と接続されて前記ＲＦ信号を伝送し、そのＲＦ信号に含まれる前記告知放送信号が取り出されて前記共用出力端１０から出力され、光端末装置３が商用電源停止・ＲＦ信号出力状態では、前記光／電気変換素子ＰＤに商用電源が供給されないが、前記光／電気変換素子ＰＤの一方のＲＦ信号取出し端Ｋを接地させることにより、前記光信号を前記光／電気変換素子ＰＤによりＲＦ信号に変換し、前記ＲＦ経路Ｃ２が前記共用出力端１０との接続が開放され、前記告知経路Ｃ１が前記光／電気変換素子ＰＤのＲＦ信号取出し端Ｋ及び前記共用出力端１０と接続され、この告知経路Ｃ１により前記ＲＦ信号が伝送され、そのＲＦ信号に含まれる前記告知放送信号が取り出されて前記共用出力端１０から出力させるものである。この場合、請求項２記載のように、前記光端末装置の告知放送出力方法において、光／電気変換素子ＰＤで変換されたＲＦ信号を二分配し、二分配された一方の経路をＲＦ経路Ｃ２、他方の経路を告知経路Ｃ１とし、前記ＲＦ経路Ｃ２、告知経路Ｃ１は、光端末装置３が商用電源通電・ＲＦ信号出力状態、商用電源通電・ＲＦ信号中のテレビ信号出力停止・告知放送信号出力状態、商用電源停止・ＲＦ信号出力状態の夫々において、請求項１記載のＲＦ経路Ｃ２、告知経路Ｃ１と同様に接続或いは接続が開放されて、前記いずれの状態でも告知放送を共用出力端１０から出力させることもできる。
【００１１】
本発明の光伝送システムの光端末装置は、請求項３記載のように、光伝送システムで伝送される光信号を光／電気変換素子ＰＤで光／電気変換してＲＦ信号（テレビ信号や告知放送信号を含む）を取り出し、そのＲＦ信号を出力端から出力する光端末装置において、光信号を電気信号に変換する光／電気変換素子ＰＤと、ＲＦ信号を伝送するＲＦ経路Ｃ２と告知経路Ｃ１と、ＲＦ信号出力端と告知放送信号出力端を共有にした共用出力端１０と、告知経路Ｃ１を伝送されるＲＦ信号から告知放送信号を取り出す告知放送信号取出し回路ＬＰＦと、前記光／電気変換素子ＰＤを商用電源と接地に切替え接続する電源／アース切替えスイッチＳＷ１と、前記光／電気変換素子ＰＤのＲＦ信号取出し端Ｋを前記告知経路とアースに切替え接続する告知経路／アース切替えスイッチＳＷ２と、前記共用出力端１０をＲＦ経路Ｃ２と告知経路Ｃ１に選択切替え接続する経路切替えスイッチＳＷ３と、商用電源からの電源供給を接続・接続開放に切替える電源切替えスイッチＳＷ４と、前記経路切替えスイッチＳＷ３を告知経路Ｃ１とＲＦ経路Ｃ２とに切替える経路制御回路８と、前記電源切替えスイッチＳＷ４の前記接続・接続開放を切替え制御するＲＦ制御回路７と、を備え、光端末装置３が商用電源通電・ＲＦ信号出力の状態では、前記ＲＦ制御回路７が前記電源切替えスイッチＳＷ４を商用電源と接続させて前記光／電気変換素子ＰＤに前記商用電源を供給してその光／電気変換素子ＰＤにより光信号をＲＦ信号に変換できるようにし、前記告知経路／アース切替えスイッチＳＷ２がアースに切替えられ、前記光／電気変換素子ＰＤのＲＦ信号取出し端Ｋと前記告知経路Ｃ１とが切断されて、前記ＲＦ信号が光／電気変換素子ＰＤの取出し端Ａと接続されているＲＦ経路Ｃ２を伝送され、前記経路切替えスイッチＳＷ３がＲＦ経路Ｃ２と接続されて前記ＲＦ信号がＲＦ経路Ｃ２を経て前記共用出力端１０に出力され、そのＲＦ信号に含まれる告知信号も共用出力端１０に出力され、光端末装置３が商用電源通電・ＲＦ信号中のテレビ信号出力停止・告知放送出力状態では、前記ＲＦ制御回路７が前記電源切替えスイッチＳＷ１を商用電源との接続を開放させて前記光／電気変換素子ＰＤに前記商用電源が供給されないようにし、前記電源／アース切替えスイッチＳＷ１が接地されて光信号が前記光／電気変換素子ＰＤによりＲＦ信号に変換され、告知経路／アース切替えスイッチＳＷ２が前記光／電気変換素子ＰＤのＲＦ信号取出し端Ｋと告知経路Ｃ１、に接続され、前記経路切替えスイッチＳＷ３が告知経路Ｃ１に接続されて、前記ＲＦ信号が告知経路Ｃ１を伝送され、その伝送中に告知放送信号取出し回路ＬＰＦにより前記ＲＦ信号から告知放送信号が取り出され、その告知放送信号が前記経路切替えスイッチＳＷ３を経て共用出力端１０に出力され、光端末装置３が商用電源停止・ＲＦ信号出力状態では、前記光／電気変換素子ＰＤに商用電源は供給されないが、前記電源切替えスイッチＳＷ４が商用電源と接続し、前記電源／アース切替えスイッチＳＷ１が接地されて光信号が前記光／電気変換素子ＰＤによりＲＦ信号に変換され、告知経路／アース切替えスイッチＳＷ３が前記光／電気変換素子ＰＤのＲＦ信号取出し端Ｋと告知経路Ｃ１に接続されて、前記ＲＦ信号が告知経路Ｃ１を伝送され、その伝送中に告知放送信号取出し回路ＬＰＦにより前記ＲＦ信号から告知放送信号が取り出され、その告知放送信号が前記経路切替えスイッチＳＷ３を経て共用出力端１０に出力されるようにしたものである。
【００１２】
本発明の光伝送システムの光端末装置は、請求項４記載のように、前記光伝送システムの光端末装置において、光／電気変換素子で変換されたＲＦ信号を二分配する分配器９を備え、分配された一方の経路をＲＦ経路Ｃ２、他方の経路を告知経路Ｃ１とし、前記ＲＦ経路Ｃ２、告知経路Ｃ１は、光端末装置３が商用電源通電・ＲＦ信号出力状態、商用電源通電・ＲＦ信号中のテレビ信号出力停止・告知放送出力状態、商用電源停止・ＲＦ信号出力状態のそれぞれにおいて、電源／アース切替えスイッチＳＷ１、告知経路／アース切替えスイッチＳＷ２、経路切替えスイッチＳＷ３、電源切替えスイッチＳＷ４が請求項３記載のそれらスイッチと同様に切替え接続されて、前記いずれの状態でも告知放送を共用出力端１０から出力できるようにしたものである。この場合、請求項５記載のように、前記光伝送システムの光端末装置において、光／電気変換素子ＰＤのＲＦ信号取出し端Ｋ側と、電源切替えスイッチＳＷ１との間にコイルＬを設けることができる。
【発明の効果】
【００１３】
本発明の告知放送出力方法は、ＲＦ信号と告知放送信号の共用出力端を、商用電源通電・ＲＦ信号出力停止状態、商用電源通電・ＲＦ信号中のテレビ信号出力停止・告知放送出力状態、商用電源停電・ＲＦ信号出力状態の夫々の状態に応じて、ＲＦ経路と告知経路に選択切替えするので、商用電源停電状態であっても、ＲＦ信号出力停止状態であっても、告知放送を共用出力端から出力することができる。
【００１４】
本発明の光端末装置は次のような効果がある。
１．ＲＦ信号用出力端と告知放送信号用出力端を共用にし、その共用出力端を、商用電源通電・ＲＦ信号出力停止状態、商用電源通電・ＲＦ信号中のテレビ信号出力停止・告知放送出力状態、商用電源停電・ＲＦ信号出力状態の夫々の状態に応じて、経路選択スイッチをＲＦ経路と告知経路に選択切替えするＲＦ制御回路と経路制御回路を設けたので、それら状態に応じて経路選択スイッチを適切に制御することで、商用電源停電状態であってもＲＦ信号出力停止状態であっても、告知放送信号を共用出力端から出力することができる。
２．バックアップ用電源を搭載することなく、商用電源停電時でも告知放送信号を出力できるので、バックアップ用電源のメンテナンスの面倒がない。
３．ＲＦ信号中のテレビ信号出力停止・告知放送出力の状態でも告知放送信号を出力することができるため、使用料金未払いなどの理由でテレビを視聴できない状況におかれている加入者に対しても告知放送信号だけは提供することができ、人道的な面からも好ましい。
４．告知放送信号とテレビ信号の出力端子が共用であるため、光端末装置より下流の同軸ケーブルの施工が容易になり、加入者宅内で分配されたどの壁面端子に告知放送端末器を接続しても告知放送を聴くことができる。図１はイメージ図の一例であり、四つの部屋の夫々にテレビ受像機（ＴＶ）４が配置されており、そのうち一部屋はＲＦ信号を分配してＴＶと告知放送端末装置５が接続されている。この告知放送端末装置を別の部屋のテレビ受像機と置き換えても告知放送信号を受信することができるため、告知放送端末装置の設置場所の自由度が高くなる。
【発明を実施するための最良の形態】
【００１５】
（実施形態１：図１〜４の光端末装置の構成）
本発明の光端末装置の一実施形態を図１〜図４に基づいて説明する。図１の情報伝送システムは光端末装置３がＶ−ＯＮＵの場合であり、光伝送路１で伝送されてくる高周波信号（ＲＦ信号）が光端末装置３の光／電気変換素子（例えば、フォトダイオード）ＰＤ（図２〜図４）で電気信号に変換されてＲＦ信号が取出され、図１のように同軸ケーブル６で加入者宅２内に引き込まれ、加入者宅２内の夫々のＴＶ受像機４で受信される。異常発生時には前記ＲＦ信号に含まれる告知放送信号が同軸ケーブル６で加入者宅２内に引き込まれて告知放送端末装置５から告知放送が出力される。
【００１６】
図２〜図４に示す光端末装置（Ｖ−ＯＮＵ）はいずれも同じ構成であり、異なるのは、図２は商用電源通電・ＲＦ信号出力の状態、図３は商用電源通電・ＲＦ信号出力停止の状態、図４は商用電源停電の状態であることである。
【００１７】
図２〜図４はフォトダイオードＰＤのカソード端子から告知放送を、アノード端子から告知放送を含んだＲＦ信号（テレビ信号及び告知放送信号を含んだＲＦ信号）を取り出す場合である。商用電源停電時にフォトダイオードＰＤから効率よくＲＦ信号を取り出すためにはカソード端子Ｋを高周波的にアース（ＧＮＤ）に接続する必要がある。そこで図２〜図４のいずれの光端末装置でもフォトダイオードＰＤのカソード端子に電源（Ｖｃｃ）またはアース（ＧＮＤ）に切替え接続する電源／アース切替えスイッチＳＷ１を設けてある。この電源／アース切替えスイッチＳＷ１とカソード端子との間には高周波カット用のコイルＬを配置してある。
【００１８】
図２〜図４の光端末装置３はフォトダイオードＰＤのカソード端子に告知放送信号経路（告知経路）Ｃ１を設け、告知経路Ｃ１にアース（ＧＮＤ）とローパスフィルタ（ＬＰＦ）に切替え接続する告知経路／フィルタ切替えスイッチＳＷ２を設けてある。フォトダイオード（ＰＤ）のアノード端子ＡにはＲＦ信号伝送経路（ＲＦ経路）Ｃ２を設け、そのＲＦ経路Ｃ２に増幅器１、増幅器２、増幅器３を直列に設けてある。共用出力端１０は前記告知経路Ｃ１とＲＦ経路Ｃ２に経路切替えスイッチＳＷ３で選択切替え接続できるようにしてある。
【００１９】
図２〜図４の実施例ではフォトダイオードＰＤのカソード端子Ｋら告知放送信号を、アノード端子Ａからテレビ信号を取出すようにしてあるが、ＲＦ信号はアノード端子Ａとカソード端子Ｋのいずれからも取出すことができるため、告知放送信号とＲＦ信号を図２〜図４と逆の端子から取出すようにすることもできる。
【００２０】
図２〜図４の光端末装置は電源スイッチＳＷ４を切替え制御するＲＦ制御回路７、前記電源／アース切替えスイッチＳＷ１、告知経路／フィルタ切替えスイッチＳＷ２、経路切替えスイッチＳＷ３を切替え制御する経路制御回路８をも備えている。
【００２１】
（実施形態２：図５の光端末装置の構成）
図５の光端末装置の基本的構成は図２〜図４の光端末装置３と同じであり、異なるのはフォトダイオードＰＤのアノード端子Ａから取出したＲＦ信号を分配器９で二分配し、一方の分配信号を告知経路Ｃ１に、他方の分配信号をＲＦ経路Ｃ２に伝送するようにしたことである。図２〜図４の場合と同様に告知経路Ｃ１には告知経路／アース切替えスイッチＳＷ２が、ＲＦ経路Ｃ２には増幅器１、増幅器２、増幅器３が直列に設けられ、共用出力端１０を経路切替えスイッチＳＷ３で告知経路Ｃ１とＲＦ経路Ｃ２に選択切替え可能としてある。
【００２２】
（実施形態３：図５の光端末装置の他の構成）
図５はＲＦ信号をフォトダイオードＰＤのアノード端子Ａから取出すようにしてあるが、ＲＦ信号はフォトダイオードＰＤのカソード端子Ｋから取出すこともでき、それを二分配することもできる。
【００２３】
（実施形態４）
前記実施形態１〜３の各スイッチＳＷ１〜ＳＷ４は本発明の機能を実現できるものであればメカニカル構造のスイッチ、半導体スイッチ等のいずれでもよい。
【００２４】
（図２の光端末装置の動作説明）
図２は商用電源通電・ＲＦ信号出力状態の場合である。ＲＦ信号出力時であるため電源スイッチＳＷ４はＲＦ制御回路７で制御されて接続され、Ｖｃｃが各スイッチＳＷ１、ＳＷ２のコントロール端子、ＳＷ３のコントロール端子１、２及び増幅器３へ供給される。また商用電源が通電しているのでフォトダイオードＰＤにはＶｃｃを印加することができ、スイッチＳＷ１はコントロール端子からの制御によりＤＣ１端子とＣＯＭ端子が接続される。
【００２５】
フォトダイオードＰＤのカソードから出力されたＲＦ信号は告知経路／フィルタ切替えスイッチＳＷ２に入力される。告知経路／フィルタ切替えスイッチＳＷ２はコントロール端子からの制御によりＣＯＭ１端子とＲＦ２端子が接続され、コンデンサＣを介してＧＮＤに接地される。これによりフォトダイオードＰＤのカソード側が高周波的に接地される。フォトダイオードＰＤのアノードから出力されたＲＦ信号は増幅器１、２、３により増幅され、前述の経路切替えスイッチＳＷ３に入力される。経路切替えスイッチＳＷ３はコントロール端子ＣＮＴ２の制御によりＲＦ２端子とＣＯＭ１端子が接続され、ＲＦ信号がＶ−ＯＮＵの共用出力端子ＯＵＴから出力される。このＲＦ信号には告知放送信号とテレビ信号が含まれているので、告知放送と多チャンネルテレビサービスの両方を提供でき、それを受信した告知放送端末装置から告知放送が報知される。
【００２６】
（図３の光端末装置の動作説明）
図３は商用電源通電・ＲＦ信号中のテレビ信号出力停止・告知放送出力状態である。ＲＦ信号中のテレビ信号出力停止状態であるため電源スイッチＳＷ４はＲＦ制御回路で制御されて商用電源に接続されず、ＳＷ１、ＳＷ２、ＳＷ３のコントロール端子および増幅器３にはＶｃｃが供給されず、スイッチＳＷ１はコントロール端子によりＤＣ２端子とＣＯＭ端子が接続される。これにより、図２の光端末装置の動作説明（段落「００１７」）で説明したとおり、フォトダイオードＰＤのカソード端子が高周波的にＧＮＤに接続されて、Ｖｃｃが通電していなくともフォトダイオードＰＤからＲＦ信号を出力することが可能となる。
【００２７】
フォトダイオードＰＤのアノードから出力されたＲＦ信号は増幅器１、２により増幅されるが、増幅器３は動作していない（電源スイッチＳＷ４がＲＦ制御回路で制御されて商用電源に接続されていない）のでそれ以上は伝送されない。フォトダイオードＰＤのカソードから出力されたＲＦ信号は告知経路／フィルタ切替えスイッチＳＷ２に入力される。このスイッチＳＷ２はコントロール端子によりＣＯＭ１端子とＲＦ１端子が接続される。告知経路／フィルタ切替えスイッチＳＷ２のＲＦ１端子から出力されたＲＦ信号はローパスフィルタＬＰＦに入力され、告知放送信号のみが出力する。ＬＰＦから出力された告知放送信号は経路切替えスイッチＳＷ３に入力される。経路切替えスイッチＳＷ３はコントロール端子ＣＮＴ１、ＣＮＴ２により制御されてＲＦ１端子とＣＯＭ１端子が接続され、告知放送信号が共用出力端１０から出力される。
【００２８】
（図４の光端末装置の動作説明）
図４は商用電源停電・ＲＦ信号出力状態である。商用電源が停電しているのでＶｃｃは０ＶとなってＲＦ制御回路７が動作せず、接続状態となっている電源スイッチＳＷ４から出力される電圧も当然０Ｖになり、各スイッチＳＷ１〜ＳＷ３のコントロール端子および増幅器３にはＤＣは供給されない。このため電源／アース切替えスイッチＳＷ１はコントロール端子により制御されてＤＣ２端子とＣＯＭ端子が接続される。
【００２９】
フォトダイオードＰＤのアノードから出力されたＲＦ信号は増幅器１に入力されるが、増幅器１、２、３が動作していないので増幅することはできない。フォトダイオードＰＤのカソードから出力されたＲＦ信号はスイッチＳＷ２に入力される。スイッチＳＷ２はコントロール端子による制御でＣＯＭ１端子とＲＦ１端子が接続される。スイッチＳＷ２のＲＦ１端子から出力されたＲＦ信号はＬＰＦに入力され、告知放送信号のみが通過してスイッチＳＷ３に出力される。スイッチＳＷ３はコントロール端子ＣＮＴ１及びＣＮＴ２により制御されてＲＦ１端子とＣＯＭ１端子が接続されて、告知放送信号が共用出力端１０から出力される。
【００３０】
（図５の光端末装置の動作説明）
図５は図２の場合と同様に商用電源通電・ＲＦ信号出力の状態である。ＲＦ信号出力状態であるため電源スイッチＳＷ４は接続され、Ｖｃｃが各スイッチＳＷ１、ＳＷ２、ＳＷ３のコントロール端子及び増幅器１、２、３へ供給される。また商用電源が通電状態であるのでフォトダイオードＰＤにはＶｃｃを印加（通電）することができ、電源／アース切替えスイッチＳＷ１はコントロール端子によりＤＣ１端子とＣＯＭ端子が接続される。
【００３１】
フォトダイオードＰＤのアノードから出力されたＲＦ信号は分配器９で二分配され、一方のＲＦ信号はスイッチＳＷ２に入力される。スイッチＳＷ２はコントロール端子によりＣＯＭ１端子とＲＦ２端子が接続され、コンデンサＣを介してＧＮＤに接地される。他方のＲＦ信号は増幅器１、２、３により増幅され、経路選択スイッチＳＷ３に入力される。経路選択スイッチＳＷ３はコントロール端子ＣＮＴ１及びコントロール端子ＣＮＴ２により制御されてＲＦ２端子とＣＯＭ１端子が接続され、ＲＦ信号が共用出力端ＯＵＴから出力される。このＲＦ信号には告知放送信号とテレビ信号が含まれているので、告知放送と多チャンネルテレビサービスの両方を加入者に提供でき、それを受信した告知放送端末装置から告知放送が報知される。
【産業上の利用可能性】
【００３２】
本発明はＣＡＴＶシステムのみならず、他の光伝送システム、例えば、ＣＣＴＶやその他の光伝送システムにも利用可能である。
【図面の簡単な説明】
【００３３】
【図１】本発明の光端末装置と加入社宅内の告知放送端末装置及びテレビ受像機の配線の一例を示す説明図。
【図２】本発明の光端末装置の一例を示し、商用電源印加・ＲＦ信号出力状態のブロック図。
【図３】本発明の光端末装置の一例を示し、商用電源印加・ＲＦ信号出力停止状態のブロック図。
【図４】本発明の光端末装置の一例を示し、商用電源停止状態のブロック図。
【図５】本発明の光端末装置の一例を示し、ＲＦ信号を二分配した場合のブロックであって、商用電源印加・ＲＦ信号出力状態のブロック図。
【図６】（ａ）は従来の光伝送システム（光端末装置の出力が二つの場合）の説明図、（ｂ）は（ａ）の光端末装置と加入社宅部分の説明図。
【符号の説明】
【００３４】
１  光伝送路
２  加入者宅
３  光端末装置（Ｖ−ＯＮＵ）
４  ＴＶ受像機
５  告知放送端末装置
６  同軸ケーブル
７  ＲＦ制御回路
８  経路制御回路
９  分配器
１０  共用出力端
Ｖｃｃ  電源
ＧＮＤ  アース
ＰＤ  フォトダイオード
ＬＰＦ  ローパスフィルタ
Ｌ  コイル
Ｃ１  告知放送信号経路（告知経路）
Ｃ２  ＲＦ信号伝送経路（ＲＦ経路）
ＳＷ１  電源／アース切替えスイッチ
ＳＷ２  告知経路／フィルタ切替えスイッチ
ＳＷ３  経路切替えスイッチ
ＳＷ４  電源スイッチ
【図１】
0004709875.tif 000002
【図２】
0004709875.tif 000003
【図３】
0004709875.tif 000004
【図４】
0004709875.tif 000005
【図５】
0004709875.tif 000006
【図６】
0004709875.tif 000007